(57)【要約】【課題】混合水の吐水制御および止水制御のみならず、設定温度の調節も可能とするリモート操作式湯水混合栓を提供すること。【解決手段】給水路３と給湯路４に連通連結され、吐水する混合水Ｍの温度Ｔを設定温度Ｔｓに調節する温度調節部９を有する湯水混合栓本体２と、この混合水Ｍを吐水制御および止水制御するための水栓１の開閉を行なう開閉制御部６と、前記設定温度Ｔｓを使用者によって指示された指示温度Ｔｃに設定する温度設定部１０と、使用者の近傍に配置されて少なくとも前記水栓１の開閉制御６および指示温度Ｔｃの調節を可能とするリモート操作入力部１３と、使用者によるリモート操作入力部１３の操作に伴って前記開閉制御部６および温度設定部１０を制御する制御部１４とを有する。【選択図】　　図１
2004124622.tif 000002
【特許請求の範囲】
【請求項１】
給水路と給湯路に連通連結され、吐水する混合水の温度を設定温度に調節する温度調節部を有する湯水混合栓本体と、
この混合水を吐水制御および止水制御するための水栓の開閉を行なう開閉制御部と、
前記設定温度を使用者によって指示された指示温度に設定する温度設定部と、
使用者の近傍に配置されて少なくとも前記水栓の開閉制御および指示温度の調節を可能とするリモート操作入力部と、
使用者によるリモート操作入力部の操作に伴って前記開閉制御部および温度設定部を制御する制御部とを有することを特徴とするリモート操作式湯水混合栓。
【請求項２】
前記温度調節部は吐水する混合水の温度が設定温度になるように給水路と給湯路に連通する流路の開度を調節するサーモバルブであり、
前記温度設定部はサーモバルブの温度設定軸を回動操作するための電動機と減速ギヤとからなる請求項１に記載のリモート操作式湯水混合栓。
【請求項３】
前記開閉制御部が温度調節部の下流側に設けた電磁弁である請求項１または２に記載のリモート操作式湯水混合栓。
【請求項４】
前記リモート操作入力部が少なくとも指示温度の引上げを行なう昇温スイッチと、指示温度の引下げを行なう降温スイッチとを有する請求項１〜３の何れかに記載のリモート操作式湯水混合栓。
【請求項５】
前記混合水の温度を測定する温度センサと、測定した温度を表示する温度表示部とを有する請求項１〜４の何れかに記載のリモート操作式湯水混合栓。
【請求項６】
前記制御部が、止水に伴って指示温度よりも低い温度になるように温度調節部の設定温度を引き下げると共に、吐水を開始してから所定時間を経過した後に再び設定温度を指示温度に引き上げる制御を行なう低温吐水開始機能を有する請求項１〜５の何れかに記載のリモート操作式湯水混合栓。
【発明の詳細な説明】
【０００１】
【発明の属する技術分野】
この発明は、リモート操作式湯水混合栓に関するものである。
【０００２】
【従来の技術】
【特許文献１】特開２００２−２０１６８２号公報
従来より、例えば特許文献１に示すように、炊事場などに配置された水栓において足操作入力部を踏むことで、吐水および止水を切り換えることができる給水装置がある。つまり、使用者は洗い物作業中など、手を離すことができないような状況にあっても吐水および止水の制御を行うことができるので有用である。また、使用者が吐水または止水をする度に頻繁に水栓を操作する必要がないので、水栓を含むシンク周辺の石鹸などによる汚れを少なくできると共に、水栓まで手が届かない使用者であっても吐水および止水の操作は行うことができる。
【０００３】
【発明が解決しようとする課題】
しかしながら、前記従来の足操作式の水栓では吐水する水の温度調節については特許文献１に示されるように、従来はシンクの上面に、温度調節用の操作レバーを足操作入力部とは別に設けていた。
【０００４】
したがって、使用者は混合水の温度調節を行なうためには操作ハンドルを手動で操作する必要があり、このとき操作ハンドルの部分に石鹸などによる汚れが幾らかは付着することが避けられなかった。また、水栓の温度調節用の操作ハンドルまで手が届かない使用者は吐水する水の水温を変えることができないという問題もあった。
【０００５】
本発明は、上述の事柄を考慮に入れてなされたものであって、その目的は、混合水の吐水制御および止水制御のみならず、設定温度の調節も可能とするリモート操作式湯水混合栓を提供することにある。
【０００６】
【課題を解決するための手段】
上記目的を達成するため、本発明のリモート操作式湯水混合栓は、給水路と給湯路に連通連結され、吐水する混合水の温度を設定温度に調節する温度調節部を有する湯水混合栓本体と、この混合水を吐水制御および止水制御するための水栓の開閉を行なう開閉制御部と、前記設定温度を使用者によって指示された指示温度に設定する温度設定部と、使用者の近傍に配置されて少なくとも前記水栓の開閉制御および指示温度の調節を可能とするリモート操作入力部と、使用者によるリモート操作入力部の操作に伴って前記開閉制御部および温度設定部を制御する制御部とを有することを特徴としている。（請求項１）
【０００７】
したがって、このリモート操作式湯水混合栓を用いることにより、使用者は湯水混合栓の全ての操作をリモート操作入力部によって行うことができ、洗剤などが付着した手によって湯水混合栓に触れる必要がない。つまり、手を休めることなく足や肘や腰などによって湯水混合栓を操作できるので、便利であるとともに、湯水混合栓などに石鹸などが付着することもなく、シンク上を清潔に保ことができる。
【０００８】
また、湯水混合栓まで手が届きにくい人でも操作できる。なお、本発明におけるリモート操作入力部とは足、肘、腰などの人体の各部で操作する入力部を全般的に示すものであり、その形態を限定するものではない。すなわち、例えば押操作によって入力する押ボタン式のスイッチや、操作部の摺動位置によって所定の指示値を入力できるスライド式のスイッチなど、種々の入力部の形態が考えられる。
【０００９】
前記温度調節部は吐水する混合水の温度が設定温度になるように給水路と給湯路に連通する流路の開度を調節するサーモバルブであり、前記温度設定部はサーモバルブの温度設定軸を回動操作するための電動機と減速ギヤとからなる場合（請求項２）には、リモート操作入力部による設定温度の昇降操作によって湯水混合栓を容易に制御することができる。また、減速ギヤによって温度調整をゆっくり行うことができるので、温度調整が容易に行える。
【００１０】
前記開閉制御部が温度調節部の下流側に設けた電磁弁である場合（請求項３）には、一つの電磁弁の開閉制御によって混合水の吐水制御および止水制御を行うことができ、構成を簡素にして製造コストを削減できる。
【００１１】
前記リモート操作入力部が少なくとも指示温度の引上げを行なう昇温スイッチと、指示温度の引下げを行なう降温スイッチとを有する場合（請求項４）には、混合水の設定温度の昇降操作を容易に行なうことができ、操作性が良い。
【００１２】
前記混合水の温度を測定する温度センサと、測定した温度を表示する温度表示部とを有する場合（請求項５）には、リモート操作式湯水混合栓に温度設定用のハンドルがなくても、使用者は温度表示部に表示される温度を参照することで吐水される混合水の温度を確認できる。
【００１３】
前記制御部が、止水に伴って指示温度よりも低い温度になるように温度調節部の設定温度を引き下げると共に、吐水を開始してから所定時間を経過した後に再び設定温度を指示温度に引き上げる制御を行なう低温吐水開始機能を有する場合（請求項６）には、たとえ吐水の開始時に給湯路から供給される湯の温度が通常よりも高温であったとしても、吐水しはじめたころの混合水の温度を低く抑えることができ、快適な吐水操作を行うことができる。
【００１４】
【発明の実施の形態】
図１は本発明の第１実施例であるリモート操作式湯水混合栓１（以下の各例では、特に足操作式湯水混合栓として説明する）の構成を示す図である。図１において、２は給水路３と給湯路４とにそれぞれ連通連結された湯水混合栓本体（以下、単に本体２という）、５は本体２に連結された吐水部、６は本体２の下流側の流路２ａに設けられて混合水Ｍの吐水制御および止水制御を行なう開閉制御部の一例である電磁弁、７は流路２ａに流れる混合水Ｍの温度Ｔを測定する温度センサ、８は温度センサによって測定された温度Ｔを吐水部５の付け根部分に液晶によってデジタル表示する温度表示部である。
【００１５】
前記本体２内には例えば、吐水する混合水Ｍの温度Ｔが後述の設定温度Ｔｓになるように給水路３と給湯路４に連通する各流路の開度を調節するサーモバルブからなる温度調節部９（以下、サーモバルブ９という）が設けられており、このサーモバルブ９の温度設定軸（図外）に対して温度設定部１０が取り付けられている。そして、この温度設定部１０は例えばサーモバルブ９を回動操作するための電動機１１と、減速ギヤ１２とからなる。
【００１６】
１３は使用者２が例えば足によって操作するペダル型のリモート操作入力部（以下、足操作入力部１３という）であり、本例では例えば吐水／止水スイッチ，昇温スイッチ，降温スイッチの３つの押ボタン式のスイッチ１３ａ，１３ｂ，１３ｃからなる。１４は足操作入力部１３の操作に従って、前記電磁弁６および温度設定部１０を制御することにより、吐水および止水を行なうと共に、吐水する混合水Ｍの温度Ｔを任意に調整する制御部である。また、制御部１４は温度センサ７によって測定した混合水Ｍの温度Ｔを温度表示部８に表示させることで、使用者が混合水Ｍの温度Ｔを連続的に確認できるようにしている。なお、１４ａは制御部１４に電力を供給する電源コードである。
【００１７】
図２は足操作入力部１３の別の例を示す図である。すなわち、図２（Ａ）に示すように、前記足操作入力部１３は吐水スイッチ１３ｄと止水スイッチ１３ｅを別途設けることも可能である。また、足操作入力部１３の形状は四角形に限定するものではなく、図２（Ｂ）に示すように円形であってもよい。
【００１８】
そして、足操作入力部１３の操作部１３Ａには図２（Ａ）に示すように幾らかの角度αを付けていることにより、操作性が良くなるが、図２（Ｂ）に示すように、操作部１３Ａを薄い板状にすることで設置スペースを小さくすることも可能である。
【００１９】
さらに、図２（Ｃ）に示すように、足操作入力部１３の操作部１３Ａがシーソーのように左右に傾動すると共に押し操作できる立体形状とすることも可能である。
【００２０】
前記足操作入力部１３は何れも図１における足操作式湯水混合栓１において使用者が混合水Ｍの吐水制御および止水制御を行うとともに、任意の温度を指示温度Ｔｃとして設定することを可能とするものである。なお、前記吐水スイッチ１３ｄと止水スイッチ１３ｅは流量の開放と絞りを行なうスイッチとして使用することも可能である。
【００２１】
図３は図１，２に示した足操作式湯水混合栓１において、制御部１４内の演算処理部（図外）が実行する水栓制御プログラムＰの流れの一例を示す図である。本例の水栓制御プログラムＰを制御部１４が実行することにより、止水に伴って指示温度Ｔｃよりも低い温度Ｔｌになるようにサーモバルブ９の設定温度Ｔｓを引き下げると共に、吐水を開始してから所定時間を経過した後に再び設定温度Ｔｓを指示温度ｔｃに引き上げる制御を行なう低温吐水開始機能を実現させるものである。
【００２２】
図３において、Ｓ１は前記吐水／止水スイッチ１３ａ（または吐水スイッチ１３ｄ。この場合、吐水スイッチ１３ａとして機能する）を操作したかどうかを判断するステップである。そして、吐水スイッチ１３ａが押されたことを検出するまでステップＳ１に処理を戻す。すなわち、足操作式湯水混合栓１が止水している状態ではこのステップＳ１が繰り返され、使用者が吐水スイッチ１３ａを踏んで離すと次のステップＳ２が実行される。
【００２３】
Ｓ２は吐水スイッチ１３ａが踏まれたことを検出したときに実行されるステップであり、前記電磁弁６が開かれて、足操作式湯水混合栓１は混合水Ｍを吐水することができる。なお、ここで吐水される混合水Ｍは後述するステップＳ１１の処理によって設定された低温Ｔｌである。つまり、給湯器の特性として吐水の初期状態において供給する湯の温度が極めて高温になるものがあるが、この初期吐水においては低温Ｔｌに設定された吐水が始まることにより、使用者は吐水し初めの混合水Ｍを安心して使用することができる。
【００２４】
Ｓ３は所定時間が経過したかどうかを判断するステップである。すなわち、給湯器が安定した温度の湯を供給できる時間だけこのステップＳ３で待つことができる。なお、実際にはステップＳ３において所定時間待っている間にも吐水／止水スイッチ１３ａまたは止水スイッチ１３ｅが押された場合には、後述のステップＳ１０にジャンプするが、本図では簡略化のためにその図示を省略する。また、ステップＳ３において待つ時間を設置条件に合わせて調整できるようにすることが望ましい。
【００２５】
Ｓ４は前記所定時間が経過した後に、サーモバルブ９の設定温度Ｔｓを使用者による指示温度Ｔｃにするステップである。すなわち、制御部１４は前記温度設定部１０に制御コマンドを送ってサーモバルブ９の温度設定軸を回動させることで、サーモバルブ９の設定温度Ｔｓを指示温度Ｔｃに設定する。
【００２６】
Ｓ５は前記昇温スイッチ１３ｂが踏まれているかどうかを判断するステップである。そして、昇温スイッチ１３ｂが踏まれている場合にはステップＳ６にジャンプし、昇温スイッチ１３ｂが踏まれていない場合にはステップＳ７に処理を移す。
【００２７】
Ｓ６は使用者による指示温度Ｔｃの引き上げ処理を行なうステップである。すなわち、この指示温度Ｔｃは制御部１４に記憶されており、使用者が昇温スイッチ１３ｂを踏み続けることにより指示温度Ｔｃを徐々に上げることができ、必要な温度になったときに昇温スイッチ１３ｂから足を離すとそのままの温度で吐水を続けることができる。
【００２８】
Ｓ７は前記降温スイッチ１３ｃが踏まれたかどうかを判断するステップである。そして、降温スイッチ１３ｃが踏まれた場合にはステップＳ８にジャンプし、降温スイッチ１３ｃが踏まれていない場合にはステップＳ９に処理を移す。
【００２９】
Ｓ８は使用者による指示温度Ｔｃの引き下げ処理を行なうステップである。すなわち、使用者が降温スイッチ１３ｃを踏み続けることにより制御部１４に記憶された指示温度Ｔｃを徐々に下げることができ、必要な温度になったときに昇温スイッチ１３ｂから足を離すとそのままの温度で吐水を続けることができる。
【００３０】
Ｓ９は止水スイッチ１３ａ（または１３ｅ）が踏んだ操作をしたかどうかを判断するステップである。止水スイッチ１３ａが踏まれなかった場合には、前記ステップＳ４に処理を戻して前記ステップＳ４〜Ｓ９の処理を繰り返し、止水スイッチ１３ａが踏まれた場合には続くステップＳ１０に処理を移す。
【００３１】
Ｓ１０は前記電磁弁６を閉じることで止水するステップである。すなわち、使用者は再度吐水／止水スイッチ１３ａ（または止水スイッチ１３ｅ）を踏んで離すことにより、混合水Ｍの吐水を止めることが可能となる。
【００３２】
Ｓ１１は止水後のサーモバルブ９の設定温度Ｔｓが再び低温Ｔｌになるように温度設定部１０を制御するステップである。すなわち、このステップＳ１１を実行することにより、次に給湯を開始したときに給湯器が高温の熱湯を供給することがあったとしても、火傷などの問題が発生しない。
【００３３】
しかしながら、給湯器の性能など足操作式湯水混合栓１の設置条件によっては、このステップＳ１１の処理が不要となることも考えられる。この場合は、このステップＳ１１に加えて前記ステップＳ３の処理を省略することができる。
【００３４】
なお、本例は吐水スイッチ１３ｄと止水スイッチ１３ｅを別に設ける場合においても、これらを吐水または止水の制御のみを行なうものとして説明したが、吐水スイッチ１３ｄと止水スイッチ１３ｅを別に設ける場合には、吐水スイッチ１３ｄを流量増加、止水スイッチ１３ｅを流量減少の制御に用いてもよい。この場合、例えば吐水スイッチ１３ｄや止水スイッチ１３ｅを叩くように踏んだ場合（短い時間だけ踏み操作した場合）は吐水／止水の制御として用い、ゆっくりと踏んだ場合は流量制御として用いるなどの使い分けを行うことができる。
【００３５】
同様に、一つの吐水／止水スイッチ１３ａのみを有する場合においても、叩くように踏んだ場合には吐水／止水の切換え制御として用い、ゆっくりと踏んだ場合は流量増加制御と流量減少制御を踏むたびに切り換えるようにすることも可能である。
【００３６】
図４は本発明の第２実施例である足操作式湯水混合栓２０の構成を示す図である。図４において、図１，２と同じ符号を付した部分は同一または同等の部分であるから、その詳細な説明を省略する。図４において、２１は本例の足操作式湯水混合栓２０において給水路３と給湯路４に連通連結して吐水する混合水の温度を設定温度に調節する湯水混合栓本体（以下、単に本体２１という）である。
【００３７】
本例の本体２１は、給水路３に連通連結すると共に制御信号Ｓｃによって開度を任意に設定できる比例弁２２と、給湯路４に連通連結すると共に制御信号Ｓｈによって開度を任意に設定できる比例弁２３と、両比例弁２２，２３を介して流れる水および湯を混合する混合部２４とからなる。
【００３８】
前記制御部１４内には、例えば温度センサ７によって測定される混合水Ｍの温度Ｔを用いて前記各比例弁２２，２３に対して制御信号Ｓｃ，Ｓｈを供給することにより、混合水Ｍが設定温度Ｔｓになるように調節された混合比で湯と水を混合すると共に任意の設定流量Ｖになるように調節された混合水Ｍを吐水させる比例弁制御部２５と、この比例弁制御部２５に対して設定温度Ｔｓと設定流量Ｖを指示する処理部２６とを有している。
【００３９】
すなわち、前記各比例弁２２，２３および比例弁制御部２５は前記開閉制御部６としても機能し、温度センサ７，比例弁２２，２３，混合部２４および比例弁制御部２５は前記温度調節部９としても機能する。さらに、前記処理部２６は前記温度設定部１０としても機能する。
【００４０】
また、本例の足操作入力部１３は、前記吐水／止水スイッチ１３ａに加えて例えば温度指示用摺動レバー１３ｆと、流量指示用摺動レバー１３ｇとを有している。前記各摺動レバー１３ｆ，１３ｇは流し台の下部の床面との間に生じるスペースに収容できる程度の大きさにすることで、使用者の足のつま先によって操作することが可能となる。
【００４１】
すなわち、使用者は台所作業を行いながら、足のつま先などを用いて摺動レバー１３ｆを操作することで、この摺動レバー１３ｆの位置によって混合水Ｍの温度Ｔを任意の指示温度Ｔｃに設定できる。同様に、摺動レバー１３ｇの位置によって混合水Ｍの吐水量を任意の設定流量Ｖに設定することができる。
【００４２】
なお、前記温度表示部８には、摺動レバー１３ｆによって指示した指示温度Ｔｃと、温度センサ７によって測定した実際に流れている混合水Ｍの温度Ｔの両方を表示することが望ましい。すなわち、使用者は自分が設定した温度Ｔｃと混合水Ｍの温度Ｔとを温度表示部８によって連続的に確認することが可能となる。
【００４３】
図５は図４のような構成の足操作式湯水混合栓１において、制御部１４内の演算処理部（図外）が実行する水栓制御プログラムＰ’の流れの一例を示す図である。
【００４４】
図５において、Ｓ２０は前記吐水／止水スイッチ１３ａを操作したかどうかを判断するステップであり、吐水／止水スイッチ１３ａが押されたことを検出するまでステップＳ２０に処理を戻す。
【００４５】
Ｓ２１は吐水／止水スイッチ１３ａが操作されたことを検出したときに実行されるステップである。ここで、処理部２６は比例弁制御部２５に対して温度指示用摺動レバー１３ｆによって指示される指示温度Ｔｃよりも低温になるように設定した温度Ｔｌを設定温度Ｔｓとして設定すると共に、流量指示用摺動レバー１３ｇによって定まる流量を設定流量Ｖとして指示する。
【００４６】
これによって、各比例弁２２，２３は適度に開かれて、足操作式湯水混合栓２０は混合水Ｍを吐水することができる。なお、ここで吐水される混合水Ｍの温度Ｔｌは、給湯器の特性などの設置環境や温度センサ７によるフィードバック制御の応答遅れ時間などから、指示温度Ｔｃよりもどの程度低温に設定するかを選択することができる。
【００４７】
すなわち、給湯器の特性として吐水の初期状態において供給する湯の温度が極めて高温になることがあるが、本例の足操作式湯水混合栓２０の場合、比例弁制御部２５が温度センサ７が温度Ｔｌよりも高いことを検知して湯側の比例弁２３の流路を絞り、水側の比例弁２２の流路を開くことにより、混合水Ｍの温度を温度Ｔｌになるようにフィードバック制御を行なう。このときのフィードバック制御の遅れによって生じる温度上昇によって、指示温度Ｔｃよりも大幅に高温な混合水Ｍが吐水されない程度に、前記温度Ｔｌを設定することができる。
【００４８】
つまり、本例のフットスイッチ式湯水混合栓２０においても、制御部１４が、指示温度Ｔｃよりも低い温度Ｔｌになるように温度調節部１０の設定温度Ｔｓを引き下げると共に、吐水を開始してから所定時間を経過した後に再び設定温度Ｔｓを指示温度Ｔｃに引き上げる制御を行なう低温吐水開始機能を有するので、使用者は吐水し初めの混合水Ｍを安心して使用することができる。
【００４９】
Ｓ２２は所定時間が経過したかどうかを判断するステップである。すなわち、給湯器が安定した温度の湯を供給できる時間だけこのステップＳ３２で待つことができる。
【００５０】
Ｓ２３は前記所定時間が経過した後に、サーモバルブ９の設定温度Ｔｓを使用者による指示温度Ｔｃを設定温度Ｔｓとし、混合水Ｍの温度が設定温度Ｔｓ、流量が設定流量Ｖになるように、各比例弁２２，２３を制御するステップである。すなわち、温度設定部１０として機能する処理部２６は比例弁制御部２５に設定温度Ｔｓと設定流量Ｖを設定する。
【００５１】
Ｓ２４は吐水／止水スイッチ１３ａが再び操作されたかどうかを判断するステップである。そして、使用者が吐水／止水スイッチ１３ａを再び操作するまでの間、前記ステップＳ２３の処理を繰り返す。すなわち、使用者が指示した指示温度Ｔｓで、使用者が設定した設定流量Ｖの混合水Ｍを吐水することができる。なお、混合水Ｍの流量は両比例弁２２，２３の開度の和からおよそ求めることが可能であり、流量センサを設ける必要はないが、温度センサ７と同様に流路２ａ内に流量センサを別途設けてもよいことはいうまでもない。
【００５２】
Ｓ２５は使用者が吐水／止水スイッチ１３ａを再び操作したときに実行されるステップであり、ここで各比例弁２２，２３は完全に閉鎖されて、再びステップＳ２０に処理が戻される。
【００５３】
以上のように詳述した足操作式湯水混合栓１，２０はいずれも、吐水する混合水Ｍの吐水制御および止水制御だけでなく、その温度Ｔの指示も手をいっさい使用することなく行うことができる。したがって、使用者はシンクの上部に位置する吐水部５を手で操作する必要がなく、水栓に全く手が触れることがないので、衛生的で水栓などが石鹸などで汚れることもない。また、食器などを洗いながら水温を変えられるので、手早くて便利である。さらに、水栓に手が届きにくい人でも操作が簡単であるという利点がある。
【００５４】
しかしながら、前記吐水部５の近傍に、吐水および止水の制御を含む設定流量Ｖの指示と、指示温度Ｔｃの指示を行なうための操作部を別途設けてもよい。この場合、使用者が望む場合には、手動による吐水量および水温の調整を行うことも可能となる。
【００５５】
さらに、本発明のリモート操作式湯水混合栓１，２０は、吐水操作および止水操作のみならず湯温の調節操作を手を用いることなく行える湯水混合栓であるから、上述の各例では一般的な足による操作を行なう足操作入力部１３を設けた足操作式湯水混合栓１，２０の例を示している。これによって、使用者は上半身を台所作業に使いながら足による足操作入力部１３のリモート操作で湯水混合栓１，２０を操作可能となり、作業の自由度が向上する。
【００５６】
しかしながら、前記リモート操作入力部１３を肘や腰など、人体の他の部分によって操作可能とすることも考えられる。つまり、本発明におけるリモート操作入力部１３は、手のひらや手の甲以外の人体の各部（例えば、肘や腰など）を用いて操作可能とする操作入力部を包括的に示すものである。なお、肘操作や腰操作など用いてリモート操作入力部１３を操作する場合には、これをシンクの側面や上面の手前側（すなわち、人体の近傍）に設けることができる。
【００５７】
【発明の効果】
以上説明したように本発明のリモート操作式湯水混合栓を用いることにより、水栓を手で操作することなく混合水の吐水制御および止水制御のみならず、温度調整も可能であるから、水栓などに石鹸などの汚れが付着することがなく衛生的であると共に、台所作業を全く止めることなく足などによってリモート操作式湯水混合栓の操作を行うことができる。
【図面の簡単な説明】
【図１】本発明のリモート操作式湯水混合栓の第１実施例を示す図である。
【図２】前記リモート操作式湯水混合栓の変形例を示す図である。
【図３】前記リモート操作式湯水混合栓の制御部の動作を示す図である。
【図４】第２実施例のリモート操作式湯水混合栓の構成を示す図である。
【図５】前記リモート操作式湯水混合栓の制御部の動作を示す図である。
【符号の説明】
１，２０…リモート操作式湯水混合栓（水栓）、２，２１…湯水混合栓本体、３…給水路、４…給湯路、６…電磁弁（開閉制御部）、７…温度センサ、８…温度表示部、９…温度調節部、１０…温度設定部、１１…減速ギヤ、１２…電動機、１３…足操作入力部（リモート操作入力部）、１３ｂ…昇温スイッチ、１３ｃ…降温スイッチ、Ｔ…測定した温度、Ｔｃ…指示温度、Ｔｓ…設定温度、Ｍ…混合水。
【図１】
2004124622.tif 000003
【図２】
2004124622.tif 000004
【図３】
2004124622.tif 000005
【図４】
2004124622.tif 000006
【図５】
2004124622.tif 000007